(57)【要約】【課題】点字文字を理解することが困難である視覚障害者が安心して、エレベータの操作盤内のボタン操作を行なうことができるエレベータの視覚障害者誘導装置を提供することにある。【解決手段】エレベータのかご内操作盤の各操作ボタンに対して、非常用呼び標識部３１、行先階標識部３２、戸開標識部３３、戸閉標識部３４をそれぞれ併設し、乗場操作盤内の各操作ボタンに対して、昇方向標識部３５、降方向標識部３６、乗場階床標識部３７をそれぞれ併設した。さらに、触れた標識部の表示内容を、かご内スピーカ７や乗場側スピーカ４３によって音声報知し、さらにボタン登録された後に、登録された操作ボタンの登録内容を音声報知することで、視覚障害者が安心して操作ボタンを操作することができる。【選択図】  図１
2004269196.tif 000002
【特許請求の範囲】
【請求項１】
エレベータの乗場及びかご内に設置された操作盤と、
前記操作盤内に配置され、前記かごの運転を行なう操作ボタンと、
少なくとも前記乗場または前記かご内のどちらか一方の前記操作ボタンに隣接して設けられ、前記操作ボタンの表示内容と同一内容を表す点字文字と前記操作ボタンの表示内容と同一内容を表す絵文字によって構成されている標識部と、
を具備することを特徴としたエレベータの視覚障害者誘導装置。
【請求項２】
前記標識部が、前記操作ボタンの表示内容と同一内容を表す絵文字のみによって構成されていることを特徴とした請求項１記載のエレベータの視覚障害者誘導装置。
【請求項３】
前記絵文字が突起していることを特徴とする請求項１または請求項２記載のエレベータの視覚障害者誘導装置。
【請求項４】
前記乗場及び前記かご内に設けられ、前記標識部に触れた場合に、触れた標識部の表示内容を音声報知する音声装置を具備することを特徴とした請求項１乃至請求項３記載のエレベータの視覚障害者誘導装置。
【請求項５】
前記乗場及び前記かご内に設けられ、前記操作ボタンが操作された場合に、操作された操作ボタンの表示内容を音声報知する音声装置を具備することを特徴とした請求項１乃至請求項３記載のエレベータの視覚障害者誘導装置。
【発明の詳細な説明】
【０００１】
【発明の属する技術分野】
本発明は、点字を備えたエレベータの視覚障害者誘導装置に関するものである。
【０００２】
【従来の技術】
近年、エレベータは、バリアフリーの観点から、エレベータの乗場に設けられた乗場操作盤やかご内のかご内操作盤内の操作ボタン付近に、視覚障害者でも操作ボタンの内容が分かるように、操作ボタンの内容を表した点字文字が設置されている。従来この種の乗場操作盤とかご内操作盤の構成について、図１６〜図２０を参照して説明する。
【０００３】
図１６は従来のエレベータのかご内操作盤の全体図、図１７は従来のエレベータの最下階用乗場操作盤の正面図、図１８は従来のエレベータの中間階用乗場操作盤の正面図、図１９は従来のエレベータの最上階用乗場操作盤の正面図、図２０は、従来のエレベータでのボタン操作のフローチャートである。
【０００４】
図１６に示すように、従来のエレベータのかご内操作盤１には、かご内操作盤プレート２上にエレベータの乗りかごから外部に連絡するための非常用呼びボタン３、行先階を登録するための行先階ボタン４、乗りかごが停止階に停止しているときにエレベータのドアを開閉するための戸開ボタン５と戸閉ボタン６、エレベータのかご内に音声を報知するためのかご内スピーカ７が配置されている。
【０００５】
さらに、各操作ボタンには、点字文字が併設されている。
【０００６】
具体的には、非常用呼びボタン３には非常用呼びボタン点字文字８が併設されている。ここで、一般的に、非常用呼びボタン点字文字８は、視覚障害者が非常用呼びボタン点字文字８に触れてその点字文字の内容を理解できる程度に、その点字が突起した構造となっている。
【０００７】
同様に、行先階ボタン４には行先階ボタン点字文字９が併設され、戸開ボタン５には戸開ボタン点字文字１０が併設され、戸閉ボタン６には戸閉ボタン点字文字１１が併設されている。
【０００８】
また、図１７〜図１９で示すように、従来のエレベータの乗場操作盤には、図１７で示す最下階用乗場操作盤、図１８で示す中間階用乗場操作盤、図１９で示す最上階用乗場操作盤の場合がある。
【０００９】
図１７のような最下階用乗場操作盤では乗場操作盤プレート１２上に昇方向ボタン１３が配置されており、図１８のような中間階用乗場操作盤では乗場操作盤プレート１２上に昇方向ボタン１３かつ降方向ボタン１４が配置されており、図１９のような最上階用乗場操作盤では乗場操作盤プレート１２上に降方向ボタン１４が配置されている。
【００１０】
さらに、図１７〜図１９の乗場操作盤プレート１２上の昇方向ボタン１３には昇方向点字文字１５が併設され、降方向ボタン１４には降方向点字文字１６が併設されている。また、その階を表す乗場階床点字文字１７が配置され、視覚障害者は乗場階床点字文字１７により、現在の乗場階を知ることができる。
【００１１】
次に、従来のエレベータでのボタン操作の流れについて、図２０を用いて説明する。
【００１２】
図２０に示すように、上記構成のかご内操作盤と乗場操作盤では、視覚障害者がボタン操作を行なう場合、まずかご内操作盤プレート２又は乗場操作盤プレート１２全体に触れて点字文字を触れる（ＳＴ１０）。
【００１３】
もし、触れた点字文字の表示内容を理解したかのＮｏならば、触れた点字文字の表示内容を理解できるまで視覚障害者は点字文字の表示内容の理解を試みるため、再びＳＴ１１に戻る（ＳＴ１１）。
【００１４】
もし、触れた点字文字の表示内容を理解したかのＹＥＳならば、視覚障害者は、触れた点字文字の表示内容を理解する（ＳＴ１２）。
【００１５】
そして、その点字文字に対応する操作ボタンで探して触れる（ＳＴ１３）。
【００１６】
触れた操作ボタンを押す（ＳＴ１４）。
【００１７】
最後に、操作された操作ボタンの内容が登録される（ＳＴ１５）。
【００１８】
【発明が解決しようとする課題】
上記のように、従来のエレベータの操作盤では、視覚障害者はエレベータの乗場やかごの操作ボタン付近に配置された点字文字を触れて点字文字の表示内容を理解することにより操作ボタンの内容を理解したのち、エレベータの操作ボタンを押し、かごを操作していた。
【００１９】
しかし、視覚障害者の中には点字文字を理解することが困難である視覚障害者もおり、そのような視覚障害者は点字文字の表示内容を理解することが困難であるため、エレベータの操作ボタンの内容を理解するのに時間がかかり、単独でエレベータかごを操作することが困難であった。
【００２０】
また、従来のエレベータでは、点字文字を触れた場合でも、その点字内容を確認できないため、点字文字を理解できる視覚障害者でも目的とした点字文字かどうかの確証がもてず、不安であった。
【００２１】
さらに、従来のエレベータでは、視覚障害者が操作ボタンを押してボタン登録された場合に、ボタン登録された操作ボタンの表示内容を知ることができないため、探している操作ボタンと異なる操作ボタンをボタン登録してしまったことが分からず不安であった。
【００２２】
このように、視覚障害者は、エレベータを利用するにあたり、操作ボタンの操作に不安があった。
【００２３】
本発明は、上記問題に鑑みなされたもので、エレベータの操作盤内の操作ボタンに、操作ボタンの表示内容を表している点字文字と絵文字によって構成された標識部を併設することにより、点字文字を理解することが困難な視覚障害者でもエレベータの操作ボタンを容易に認識できるようなエレベータの視覚障害者誘導装置を提供することを目的とする。
【００２４】
また、点字文字と絵文字によって構成された標識部を触れた場合に、その標識部の表示内容を音声報知することにより、視覚障害者は安心して操作ボタンを操作することができるエレベータの視覚障害者誘導装置を提供することを目的とする。
【００２５】
さらに、操作盤内の操作ボタンの登録が行なわれた場合に、操作ボタンの登録の内容を音声報知することで、視覚障害者は登録されたエレベータの操作ボタンを確認でき、視覚障害者が安心して利用できるエレベータの視覚障害者誘導装置を提供することにある。
【００２６】
【課題を解決するための手段】
上記目的を達成するために、本発明のエレベータの視覚障害者誘導装置は、「エレベータの乗場及びかご内に設置された操作盤と、前記操作盤内に配置され、前記かごの運転を行なう操作ボタンと、少なくとも前記乗場または前記かご内のどちらか一方の前記操作ボタンに隣接して設けられ、前記操作ボタンの表示内容と同一内容を表す点字文字と前記操作ボタンの表示内容と同一内容を表す絵文字によって構成されている標識部とを具備すること」を特徴としている。
【００２７】
【発明の実施の形態】
以下、本発明のエレベータの視覚障害者誘導装置の発明の実施の形態を図１〜図１５を用いて説明する。
【００２８】
最初に、本発明のエレベータのかご内操作盤と乗場操作盤の構成を説明する。
【００２９】
図１は本発明のエレベータのかご内操作盤の全体図、図２は本発明のエレベータの最下階用乗場操作盤の正面図、図３は本発明のエレベータの中間階用乗場操作盤の正面図、図４は本発明のエレベータの最上階用乗場操作盤の正面図である。
【００３０】
図１で示すように、本発明のエレベータのかご内操作盤１には、かご内操作盤プレート２上にエレベータ乗りかごから外部に連絡するための非常用呼びボタン３、行先階を登録するための行先階ボタン４、乗りかごが停止階に停止中、エレベータのドアを開閉するための戸開ボタン５、戸閉ボタン６、音声を報知するためのかご内スピーカ７が配置されている。
【００３１】
また、操作盤プレート２上に配置された上記各操作ボタンには、その操作ボタンの内容表示に対応するように、標識部がそれぞれ隣接して併設されている。そして、この標識部は、従来のエレベータにも設けられている点字文字と本発明にて新たに設けた絵文字を突起させた突起絵文字によって構成されている。具体的には、非常用呼びボタン３には、非常用呼びボタン点字文字８と非常用呼び突起絵文字２１によって構成されている非常用呼び標識部３１が併設されている。ここで、非常用呼びボタン点字文字８あるいは非常用呼び突起絵文字２１は、視覚障害者が非常用呼びボタン点字文字８あるいは非常用呼び突起絵文字２１に触れてその点字文字あるいは絵文字の内容を理解できる程度に、その点字文字あるいは絵文字が突起した構造となっている。また、非常呼びボタン点字文字８は、非常呼びボタン３の表示内容を表すような点字文字の内容を表している。
【００３２】
同様に、行先階ボタン４には、行先階ボタン点字文字９と行先階突起絵文字２２によって構成されている行先階標識部３２がそれぞれ併設されている。戸開ボタン５には、戸開ボタン点字文字１０と戸開突起絵文字２３によって構成されている戸開標識部３３がそれぞれ併設されている。戸閉ボタン６には、戸閉ボタン点字文字１１と戸閉突起絵文字２４によって構成されている戸閉標識部３４がそれぞれ併設されている。
【００３３】
また、図２〜図４で示すように、本発明のエレベータの乗場操作盤には、図２で示す最下階用乗場操作盤、図３で示す中間階用乗場操作盤、図４で示す最上階用乗場操作盤の場合がある。そして、それぞれの場合での乗場操作盤プレート１２上にはエレベータの行先を表す方向登録ボタンが配置されている。具体的には図３の場合では、昇方向ボタン１３が配置されており、図４の場合では、昇方向ボタン１３かつ降方向ボタン１４が配置されており、図４では、降方向ボタン１４が配置されている。
【００３４】
ここで、乗場操作盤プレート１２上に配置された上記各方向登録ボタンに対応するように、標識部がそれぞれ併設されている。具体的には、昇方向ボタン１３には、昇方向点字文字１５と昇方向突起絵文字２５によって構成されている昇方向標識部３５が併設されている。降方向ボタン１４には、降方向点字文字１６と降方向突起絵文字２６によって構成されている降方向標識部３６が併設されている。さらに、それぞれの乗場操作盤プレート１２上には、その階を表す乗場階床点字文字１７と乗場階床突起絵文字２７によって構成されている乗場階床標識部３７が併設されている。よって、視覚障害者は乗場階床標識部３７内の乗場階床点字文字１７あるいは乗場階床突起絵文字２７により、今何階にいるかを確認できるようになっている。
【００３５】
次に、本発明のかご内操作盤または乗場操作盤上の操作ボタンに標識部内に構成されている突起絵文字の具体的な突起絵文字について、図５〜図１１に示す。
【００３６】
図５は、本発明の実施の形態に係わるエレベータのかご内操作盤内の非常用呼び標識部の平面図、図６は、本発明の実施の形態に係わるエレベータのかご内操作盤内の行先階標識部の平面図、図７は、本発明の実施の形態に係わるエレベータのかご内操作盤内の戸開標識部の平面図、図８は、本発明の実施の形態に係わるエレベータのかご内操作盤内の戸閉標識部の平面図、図９は、本発明の実施の形態に係わるエレベータの乗場操作盤内の昇方向標識部の平面図、図１０は、本発明の実施の形態に係わるエレベータの乗場操作盤内の降方向標識部の平面図、図１１は、本発明の実施の形態に係わるエレベータの乗場操作盤内の乗場階床標識部の平面図である。
【００３７】
本発明の各操作ボタンにおける標識部内の具体的な絵文字としては、非常用呼び突起絵文字２１の場合は、図５のＡの２１に示すような絵文字あるいはＢの２１に示す“ヨブ”のようなカタカナ文字を非常用呼び突起絵文字２１として使用する。ここで、図５のＡの２１における絵文字は、一般的にエレベータの操作盤に用いられている絵文字であり、視覚障害者はその絵文字から簡単に操作ボタンの内容を理解できるものである。
【００３８】
同様に、行先階突起絵文字２２の場合は、図６の２２に示すような絵文字を行先階突起絵文字２２として使用する。戸開突起絵文字２３の場合は、図７のＡの２３に示すような絵文字あるいはＢの２３に示す“アケ”のようなカタカナ文字を戸開突起絵文字２３として使用する。戸閉突起絵文字２４の場合は、図８のＡの２４に示すような絵文字あるいはＢの２４に示す“シメ”のようなカタカナ文字を戸閉突起絵文字２４として使用する。昇方向突起絵文字２５の場合は、図９のＡの２５に示すような絵文字あるいはＢの２５に示す“上”のような漢字あるいはＣの２５に示す“ウエ”のようなカタカナ文字を昇方向突起絵文字２５として使用する。降方向突起絵文字２６の場合は、図１０のＡの２６に示すような絵文字あるいはＢの２６に示す“下”のような漢字あるいはＣの２６に示す“シタ”のようなカタカナ文字を降方向突起絵文字２６として使用する。乗場階床突起絵文字２７の場合は、図１１のＡ、Ｂ、Ｃの２７に示す“１カイ”、“５カイ”、“１０カイ”のような数字とカタカナの組み合わせ文字を乗場階床突起絵文字２７として使用する。
【００３９】
さらに、かご内にいる視覚障害者に対して音声報知する場合にはかご内スピーカ７によって音声報知するが、図１２に示すように、乗場にいる視覚障害者に対して音声報知を行なう場合には、エレベータの乗場側に音声報知することができる乗場側スピーカによって音声報知する。図１２は、本発明の実施の形態に係わるエレベータの乗場側スピーカの位置の断面図である。
【００４０】
各階の乗場における壁４０の間に乗場ドア４１があり、乗場ドア４１の上側はヘッダーケース４２に覆われている。そして、そのヘッダーケース４２の上側に、乗場にいる視覚障害者に対して音声報知を行なうための乗場側スピーカ４３が設けられている。
【００４１】
また、各操作ボタンに対する標識部とかご操作盤プレート又は乗場操作盤プレートとの関係構造を図１３と図１４を示す。図１３は、本発明の実施の形態に係わるエレベータのかご内操作盤内の標識部の断面図、図１４は本発明の実施の形態に係わるエレベータの乗場操作盤内の標識部の断面図である。
【００４２】
まず、各操作ボタンに対する標識部とかご操作盤プレートとの関係構造を図１３に示す。
【００４３】
図１３のＡに示すように、例えば、行先階標識部３２は、絶縁体５１、接点５２から構成されている。そして、行先階標識部３２は、絶縁体５１をかご操作盤プレート２の間に挟んで絶縁された構造となっている。
【００４４】
さらに、図１３のＢに示すように、行先階標識部３２と接点５２は導電性材質であり、行先階標識部３２と接点５２は連結しており、行先階標識部３２に触れると、接点５２を通して、制御部（図示せず）へ発信される。
【００４５】
以上のような行先階標識部３２とかご操作盤プレート２との関係構造では、視覚障害者が行先階標識部３２に触れると、行先階標識部３２の電気信号が制御部に発信され、制御部からかご内に設けられたかご内スピーカ７が制御され、かご内スピーカ７から音声報知される。
【００４６】
上記構造は、行先階標識部３２以外の、非常用呼び標識部３１、戸開標識部３３、戸閉標識部３４も同様の構造となっている。
【００４７】
次に、各操作ボタンに対する標識部と乗場操作盤プレートとの関係構造を図１４に示す。
【００４８】
図１４のＡに示すように、例えば、昇方向標識部３５は、絶縁体５１、接点５２から構成されている。そして、昇方向標識部３５は、絶縁体５１を乗場操作盤プレート１２の間に挟んで絶縁された構造となっている。
【００４９】
さらに、図１４のＢに示すように、昇方向標識部３５と接点５２は導電性材質であり、昇方向標識部３５と接点５２は連結しており、昇方向標識部３５に触れると、接点５２を通して、制御部（図示せず）へ発信される。
【００５０】
以上のような昇方向標識部３５と乗場操作盤プレート１２との関係構造では、視覚障害者が昇方向標識部３５に触れると、昇方向標識部３５の電気信号が制御部に発信され、制御部からかご内に設けられた乗場スピーカ４３が制御され、乗場スピーカ４３から音声報知される。
【００５１】
上記構造は、昇方向標識部３５以外の、降方向標識部３６、乗場階床標識部３７も同様の構造となっている。
【００５２】
ここで、本発明におけるエレベータの操作の流れについて図１５を用いて説明する。図１５は本発明のエレベータの操作盤における操作ボタンを入力するときのフローチャートである。
【００５３】
上記構成のかご内操作盤と乗場操作盤では、視覚障害者がボタン操作を行なう場合、まずかご内操作盤プレート２又は乗場操作盤プレート１２全体に触れて点字文字と突起絵文字によって構成されている標識部を触れる（ＳＴ１）。
【００５４】
ここで、触れられた点字文字又は突起絵文字によって構成されている標識部内の表示内容を乗場に設置された乗場スピーカ４３又はかごに設置されたかご内スピーカ７によって音声報知され、視覚障害者のボタン操作を誘導する（ＳＴ２）。
【００５５】
視覚障害者は、標識部に触れ、さらにその標識部の表示内容が音声報知されることにより、触れた標識部の表示内容を理解できる（ＳＴ３）。
【００５６】
そして、視覚障害者は、その標識部に対応する操作ボタンを探して押す（ＳＴ４）。
【００５７】
操作された操作ボタンの内容が登録される（ＳＴ５）。
【００５８】
最後に、登録された操作ボタンの表示内容が音声で案内され、視覚障害者は登録された操作ボタンが自分の操作したい操作ボタンであるかどうかを確認できる（ＳＴ６）。
【００５９】
このような本発明の実施の形態によるエレベータの視覚障害者誘導装置では、エレベータの操作盤内の操作ボタンに、操作ボタンの表示内容を表している点字文字と突起絵文字によって構成されている標識部を併設することにより、点字文字を理解することが困難である視覚障害者でも、エレベータの操作ボタンの表示内容を容易に認識でき、視覚障害者は安心して操作ボタンを操作できる。
【００６０】
さらに、視覚障害者が標識部に触れることにより、乗場やかご内に備えられたスピーカから音声報知を行なうことで、視覚障害者はエレベータの操作ボタンを容易に認識でき、視覚障害者のボタン操作を誘導することができる。
【００６１】
また、エレベータの操作盤のボタン登録が行なわれた場合には、ボタン登録の内容を音声報知することで、視覚障害者はボタン登録されたエレベータの操作ボタンを確認できる。
【００６２】
なお、本発明は、上記した各実施の形態には限定されず、種々変形して実施できることは言うまでもない。例えば、エレベータの操作盤に設けられた操作ボタンに標識部を併設しているが、エレベータのかごを操作するリモコンに設けられた操作ボタンに標識部を併設してもよい。また、非常用呼び突起絵文字２１等の各点字文字は、視覚障害者がその点字文字の内容を理解できる程度に点字が突起した構造となっているが、視覚障害者が点字文字の内容を理解できる程度に点字がへこんだ構造であってもよい。また、例えば乗場階床突起絵文字２７では、“１カイ”、“５カイ”、“１０カイ”を用いていたが、その他の階表示である“２カイ”、“３カイ”等を用いてもよい。さらに、各標識部内の点字文字と絵文字の配置関係においては、上に絵文字を配置し、下に点字文字を配置しているが、例えば、下に絵文字を配置し、上に点字文字を配置してもよい。また、行先階ボタン４が、１０階までの操作ボタンから構成されているが、例えば、行先階ボタン４が、２０階までの操作ボタンから構成されていてもよい。また、かご内スピーカ７は、エレベータかご操作盤１内に設置されているが、例えばかご内スピーカ７は、かご天井部（図示せず）に設置されてもよい。
【００６３】
【発明の効果】
以上で述べたように、本発明によれば、点字文字を理解することが困難である視覚障害者でも、エレベータの操作ボタンの表示内容を容易に認識でき、視覚障害者は安心して操作ボタンを操作できる。
【図面の簡単な説明】
【図１】本発明の実施の形態に係わるエレベータのかご内操作盤の正面図。
【図２】本発明の実施の形態に係わるエレベータの最下階用乗場操作盤の正面図。
【図３】本発明の実施の形態に係わるエレベータの中間階用乗場操作盤の正面図。
【図４】本発明の実施の形態に係わるエレベータの最上階用乗場操作盤の正面図。
【図５】本発明の実施の形態に係わるエレベータのかご内操作盤内の非常用呼び標識部の平面図。
【図６】本発明の実施の形態に係わるエレベータのかご内操作盤内の行先階標識部の平面図。
【図７】本発明の実施の形態に係わるエレベータのかご内操作盤内の戸開標識部の平面図。
【図８】本発明の実施の形態に係わるエレベータのかご内操作盤内の戸閉標識部の平面図。
【図９】本発明の実施の形態に係わるエレベータの乗場操作盤内の昇方向標識部の平面図。
【図１０】本発明の実施の形態に係わるエレベータの乗場操作盤内の降方向標識部の平面図。
【図１１】本発明の実施の形態に係わるエレベータの乗場操作盤内の乗場階床標識部の平面図。
【図１２】本発明の実施の形態に係わるエレベータの乗場側スピーカの位置の断面図。
【図１３】本発明の実施の形態に係わるエレベータのかご内操作盤内の標識部の断面図。
【図１４】本発明の実施の形態に係わるエレベータの乗場操作盤内の標識部の断面図。
【図１５】本発明の実施の形態に係わるエレベータの操作ボタンを入力するときのフローチャート。
【図１６】従来のエレベータのかご内操作盤の正面図。
【図１７】従来のエレベータの最下階用乗場操作盤の正面図。
【図１８】従来のエレベータの中間階用乗場操作盤の正面図。
【図１９】従来のエレベータの最上階用乗場操作盤の正面図。
【図２０】従来のエレベータでのボタン操作のフローチャート。
【符号の説明】
１…エレベータかご操作盤
２…かご内操作盤プレート
３…非常用呼びボタン
４…行先階ボタン
５…戸開ボタン
６…戸閉ボタン
７…かご内スピーカ
８…非常用呼びボタン点字文字
９…行先階ボタン点字文字
１０…戸開ボタン点字文字
１１…戸閉ボタン点字文字
１２…乗場操作盤プレート
１３…昇方向ボタン
１４…降方向ボタン
１５…昇方向点字文字
１６…降方向点字文字
１７…乗場階床点字文字
２１…非常用呼び突起絵文字
２２…行先階突起絵文字
２３…戸開突起絵文字
２４…戸閉突起絵文字
２５…昇方向突起絵文字
２６…降方向突起絵文字
２７…乗場階床突起絵文字
３１…非常用呼び標識部
３２…行先階標識部
３３…戸開標識部
３４…戸閉標識部
３５…昇方向標識部
３６…降方向標識部
３７…乗場階床標識部
４０…壁
４１…乗場側ドア
４２…ヘッダーケース
４３…乗場側スピーカ
５１…絶縁体
５２…接点
【図１】
2004269196.tif 000003
【図２】
2004269196.tif 000004
【図３】
2004269196.tif 000005
【図４】
2004269196.tif 000006
【図５】
2004269196.tif 000007
【図６】
2004269196.tif 000008
【図７】
2004269196.tif 000009
【図８】
2004269196.tif 000010
【図９】
2004269196.tif 000011
【図１０】
2004269196.tif 000012
【図１１】
2004269196.tif 000013
【図１２】
2004269196.tif 000014
【図１３】
2004269196.tif 000015
【図１４】
2004269196.tif 000016
【図１５】
2004269196.tif 000017
【図１６】
2004269196.tif 000018
【図１７】
2004269196.tif 000019
【図１８】
2004269196.tif 000020
【図１９】
2004269196.tif 000021
【図２０】
2004269196.tif 000022